(57)【要約】【課題】袖部分のフィット感の向上を図るとともに、袖部分のシワの発生を抑制する。【解決手段】前身頃１０と、後身頃１２と、長手方向の中心線が前記前身頃側に湾曲している脇身頃１４と、肩口から袖口にかけて帯状に形成されたヨーク片１６と、脇身頃１４およびヨーク片１６とそれぞれ縫合される前袖１８および後袖２０と、を有する上衣１であって、ヨーク片１６が、前身頃１０側に湾曲するように形成された上衣１により解決する。【選択図】  図１
2004225220.tif 000002
【特許請求の範囲】
【請求項１】
前身頃と、後身頃と、袖部と、を有する上衣であって、
前記袖部は、長手方向の中心線が前記前身頃側に湾曲している脇身頃と、肩口から袖口にかけて帯状に形成されたヨーク片と、前袖と、後袖と、から構成され、前記脇身頃の一部を袖底とし、前記袖底に対向する位置にヨーク片が配置され、前記前袖と前記後袖が前記袖底と前記ヨーク片との間に配置されてなり、
前記ヨーク片が、前記前身頃側に湾曲するように形成されることにより、前記袖部が前記前身頃側に湾曲してなる上衣。
【請求項２】
前記袖部が、前記前身頃側に捩じれて湾曲している請求項１記載の上衣。
【発明の詳細な説明】
【０００１】
【発明の属する技術分野】
本発明は上衣に関するものであり、特に、立体裁断により縫製され、フィット性およびシワ防止効果の優れた上衣に関する。
【０００２】
【従来の技術】
従来、人体のフィット感の向上を目的として裁断形成する方法として、立体裁断がある。立体裁断とは、洋服の裁断方法の一つであり、人間や人台に布を当て、その状態で裁断するこという。また、ドレーピングともいう。
【０００３】
このような方法により裁断形成された上衣としては、例えば、実開昭４８−１２０１１号公報に記載された、帯状の脇身頃部と、その上に連なる側方に適度に湾曲して形成され適度に凸弧状とされた帯状の袖下部とでなる弓形帯状の脇片を備えたボディフィットワイシャツがある（特許文献１）。
【０００４】
しかし、上記のワイシャツは主に袖下とボディ脇のフィット感を向上させることを目的としてなされたものであり、袖上部分については検討がなされていない。従って、袖上部分のフィット性や袖上部分に生じるシワについては依然として改善の余地があった。
【０００５】
【特許文献１】
実開昭４８−１２０１１号公報
【発明が解決しようとする課題】
本発明は上記課題を解決するためになされたものであり、その目的とするところは、袖部分のフィット感の向上を図り、袖部分のシワを抑制することにある。
【０００６】
【課題を解決するための手段】
本発明の上衣は、前身頃と、後身頃と、袖部と、を有する上衣であって、前記袖部は、長手方向の中心線が前記前身頃側に湾曲している脇身頃と、肩口から袖口にかけて帯状に形成されたヨーク片と、前袖と、後袖と、から構成され、前記脇身頃の一部を袖底とし、前記袖底に対向する位置にヨーク片が配置され、前記前袖と前記後袖が前記袖底と前記ヨーク片との間に配置されてなり、前記ヨーク片が、前記前身頃側に湾曲するように形成されることにより、前記袖部が前記前身頃側に湾曲してなることを特徴とする。
【０００７】
ここで、「湾曲」とは、弓形に曲がっている状態を意味し、弧状、放物線状等の曲線も含む。
【０００８】
上記のような構成にすることにより、上衣の袖部の形状を、人体の腕を自然な状態で垂下させた状態に近い形状に形成することができ、上衣を装着した際に、フィット感を向上させることができるほか、袖部分のシワを抑制することができる。
【０００９】
【発明の実施の形態】
以下、本発明を、図を参照しつつ更に詳細に説明する。図１および図２に、本実施形態の上衣の全体像を示す。なお、本実施形態においては、カットソー（ニット生地を裁断して縫製したもの）を例に説明する。
【００１０】
本実施形態における上衣１は、その正面を示す図１およびその背面を示す図２に示すように、上衣１を装着した際に胴体の前面に位置する前身頃１０と、背中に位置する後身頃１２と、胴体の脇から袖の底部に位置する脇身頃１４と、肩口イから袖口ロにかけて位置するヨーク片１６と、袖の底部とヨーク片１６の間に位置する前袖１８および後袖２０を有している。
【００１１】
ヨーク片１６は前身頃１０と前袖１８と縫合されて前身頃１０側の肩口イから袖口ロにかけてフロントヨーク縫合線２２が形成され、また、後身頃１２側の肩口イから袖口ロにかけて形成されたバックヨーク縫合線２４が形成される。
【００１２】
また、脇身頃１４は前身頃１０および後身頃１２並びに前袖１８および後袖２０のそれぞれと縫合され、前身頃１０側の裾口ハから袖口ロにかけてフロント脇身頃縫合線２６が形成され、フロント脇身頃縫合線２６上の点ニから袖口ロにかけてバック脇身頃縫合線２８が形成される。
【００１３】
更に、前身頃−前袖縫合線３０、後身頃−後袖縫合線３２が形成される。この後身頃−後袖縫合線３２は、背骨方向に向けて、より内側に形成することが好ましい。これにより、後袖２０部分をより大きくとることができるため、肩のゆとり部分をより多く創出することができる。
【００１４】
なお、図１および図２に示すように、前身頃−前袖縫合線３０とフロント脇身頃縫合線２６との接点ａ、および後身頃−後袖縫合線３２とバック脇身頃縫合線２８との接点ｂで結ばれた線（図６参照）から袖口ロにかけて袖底７０が形成される。なお、この袖底７０は脇身頃１４の一部であり、詳しくは後述する。
【００１５】
脇身頃１４、ヨーク片１６、前袖１８および後袖２０から構成される部分は、袖部となり、この袖部について説明する。図３は、袖部３４の全体形状を説明するために、本実施形態の上衣１の左半身部分を斜め上から見た模式図である。
【００１６】
図３に示すように、脇身頃１４、ヨーク片１６、前袖１８および後袖（図示せず）から構成される袖部３４は、生地のドレープ（生地が自重により垂れ下がる状態）又は伸縮がないと仮定すると、上衣１を装着していないときに、肩口イから袖口ロにかけて螺旋階段のように捩じれた状態で、前身頃１０側に湾曲する形状となっている。
【００１７】
袖部３４は、人間が腕を自然な状態で垂下させたときに生じる湾曲に適合するように構成されており、この袖部３４の湾曲は、袖部３４を構成する各パーツの形状の相互作用による。袖部３４を構成するパーツの形状を説明するため、図５に、本実施形態の上衣１の左半身部分の原型の展開図を示す。
【００１８】
図に示すように、本実施形態の上衣１は、前身頃１０と、後身頃１２と、図において略逆くの字の月型状に湾曲している脇身頃１４と、帯状に形成され、脇身頃１４と比較して緩やかに湾曲しているヨーク片１６と、脇身頃１４およびヨーク片１６とそれぞれ縫合される前袖１８および後袖２０とから構成される。
【００１９】
このうち、袖部３４は、脇身頃１４、ヨーク片１６、前袖１８および後袖２０とから構成される。
【００２０】
ヨーク片１６は、図５に示すように、縫合線３６、３８を有しており、ヨーク片１６の縫合線３６に沿って、前身頃１０の縫合線４０および前袖１８の縫合線４２が縫合されることにより、図１で示したフロントヨーク縫合線２２が形成される。同様に、他方の縫合線３８に沿って、後身頃１２の縫合線４４および後袖２０の縫合線４６が縫合されることにより、図２で示したバックヨーク縫合線２４が形成される。
【００２１】
ヨーク片１６の湾曲の程度は、人間が腕を自然な状態で垂下させたときに生じる湾曲に合わせることが好ましい。この「人間が腕を自然な状態で垂下させたときに生じる湾曲」については以下の通りである。
【００２２】
図７は、人体の腕を自然な状態で垂下させた状態を示す模式図である。図に示すように、力を入れず、リラックスした状態で腕を下ろしたとき、人体の側面の中心線Ｘ’−Ｘ’と、腕の中心線Ｙ−Ｙとは一致せず、非平行である。換言すれば、人体側面の中心線Ｘ’−Ｘ’に対して、腕の中心線Ｙ−Ｙは体の前面に湾曲している。特に、腕の肘部分から手先にかけての中心線は、人体の側面の中心線Ｘ’−Ｘ’に対して大きくずれている。
【００２３】
本実施形態の上衣１で使用されるヨーク片１６は、上衣１の非装着時におけるこのようなリラックスした状態の腕の形状に適合するように形成されている。具体的には、図８に示すように、人体の側面の中心線Ｘ’−Ｘ’と、ヨーク片１６の長手方向の中心線Ｚ−Ｚとは非平行となるように（または一直線上に並ばないように）、人体側面の中心線Ｘ’−Ｘ’に対して体の前面に湾曲形成されている。
【００２４】
これを本実施形態の上衣１で説明すると、上衣１の非装着時における左半身の側面を示した図４の模式図に示すように、生地のドレープ又は伸縮がないと仮定した場合、ヨーク片１６の長手方向の中心線Ｚ−Ｚが、上衣１の側面の中心線Ｘ−Ｘに対して前身頃１０側に湾曲するように形成されている。
【００２５】
このような湾曲は、ヨーク片が前記上衣の側面の中心線に対して所定の角度を規定して傾斜させてもよい。
【００２６】
次に、脇身頃１４の形状について説明する。図６に、図５で示した前身頃１０、後身頃１２、脇身頃１４を抜き出した展開図を示す。
【００２７】
脇身頃１４の形状は、図６に示すように、長手方向の中心線Ｗ−Ｗが前身頃１０側に湾曲しており、図において略逆くの字の月型状となっている。また、図に示した脇身頃１４の上端部５２が図１〜３で示した袖口ロ側、下端部５４が裾口ハ側となる。
【００２８】
また、図６に示すように、脇身頃１４は、湾曲形成された縫合線４８、５０を有しており、縫合線４８は前身頃１０の縫合線５６上の点ａまで縫合され、他方の縫合線５０は後身頃１２の縫合線６０上の点ｂまで縫合される。
【００２９】
この図において、点ａと点ｂとを結ぶ線から上の部分は袖底７０を構成し、この袖底７０に対向する位置にヨーク片１６が配置されることになる。そして、点ａより上（上端部５２方向）の脇身頃１４の縫合線４８は、図５に示す前袖１８の縫合線５８と縫合されることにより、図１のフロント脇身頃縫合線２６が形成される。同様に、点ｂより上（上端部５２方向）の縫合線５０は、図５に示す後袖２０の縫合線６２と縫合されることにより、図２のバック脇身頃縫合線２８が形成される。
【００３０】
この脇身頃１４の形状は、上述したヨーク片１６の形状と相まって、袖部３４の湾曲形状を形成するために重要な役割を演じる。即ち、図３に示すように、ヨーク片１６を、前袖１８および後袖（図示せず）を介して、脇身頃１４の一部からなる袖底７０が、袖の底部から支える形となり、上衣１を装着した際の腕のフィット感の向上やシワの低減に貢献する。
【００３１】
なお、ヨーク片１６と脇身頃１４の湾曲形状が相違するのは、腕の皮膚の動きがヨーク片１６側と脇身頃１４側では異なるからである。即ち、ヨーク片１６は、人間の肩先（肩峰点）から肘関節を通る動きに適応させる形状となっているのに対して、脇身頃１４は、ヨーク片１６と他の袖パーツの土台として支え、前上方向の動きに適応するように形成されているためである。
【００３２】
なお、他の実施形態として、図９に示す上衣がある。この図において、（Ａ）は上衣の正面を示し、（Ｂ）はその背面を示している。
【００３３】
上述の実施形態では、脇身頃上端部５２が袖口ロまで達していたが、本実施形態のように、袖部３４の半ばで先細りに形成されてもよい（図９のｃ）。また、上述の実施形態では、脇身頃下端部５４が先細りとなるように形成されていたが、本実施形態のように広めに形成されてもよい（図９のｄ）。
【００３４】
【発明の効果】
以上、説明したように、本発明の上衣は、前身頃側に湾曲形成したヨーク片、同様に前身頃側に湾曲形成した脇身頃並びに前袖および後袖の形状との相互作用により、上衣の非装着時において人体の腕を自然な状態で垂下させた状態に近い形状に形成したため、上衣の装着時において袖部分のフィット感を向上させることができるほか、袖部分のシワを抑制することができる。
【図面の簡単な説明】
【図１】本実施形態の上衣の全体像を示す正面図である。
【図２】本実施形態の上衣の全体像を示す背面図である。
【図３】本実施形態の上衣の左半身部分を斜め上から見た模式図である。
【図４】本実施形態の上衣の左半身の側面を示した模式図である。
【図５】本実施形態の上衣の左半身部分の展開図である。
【図６】図５における前身頃、後身頃、脇身頃の展開図である。
【図７】人体の腕を自然な状態で垂下させた状態を示す模式図である。
【図８】人体の腕の形状に合わせて形成されたヨーク片を示す模式図である。
【図９】他の脇身頃のパターンを示す図である。
【符号の説明】
１：上衣、１０：前身頃、１２：後身頃、１４：脇身頃、１６：ヨーク片、１８：前袖、２０：後袖、２２：フロントヨーク縫合線、２４：バックヨーク縫合線、２６：フロント脇身頃縫合線、２８：バック脇身頃縫合線、３４：袖部、３６、３８：ヨーク片の縫合線、４０、５６：前身頃の縫合線、４２、５８：前袖の縫合線、４４、６０：後身頃の縫合線、４６、６２：後袖の縫合線、イ：肩口、ロ：袖口、ハ：裾口
【図１】
2004225220.tif 000003
【図２】
2004225220.tif 000004
【図３】
2004225220.tif 000005
【図４】
2004225220.tif 000006
【図５】
2004225220.tif 000007
【図６】
2004225220.tif 000008
【図７】
2004225220.tif 000009
【図８】
2004225220.tif 000010
【図９】
2004225220.tif 000011